(57)【要約】【課題】被梱包部品の収容部を区画する仕切り板を安定した姿勢で支持することができるうえ、梱包部材で調整する必要がなくなり、部材にかかるコストの増大を抑えることができる。【解決手段】被梱包部品を梱包する枠状のケース３と、ケース下部に設置される被梱包部品を収容する脚部梱包部材５０Ａと、脚部梱包部材５０Ａに対して下部側面４ａを当接支持させて立設される仕切り板４と、係止面１０ｂをケース３の中間支柱３５に係止させ、当接面１０ａを仕切り板４の上部側面４ｂに当接させて支持する仕切り板支持材１０とを備え、係止面１０ｂによってケース３の枠部材に係止された仕切り板支持材１０が当接面１０ａによって立設された仕切り板４を当接させて支持させることにより、ケース３内を被梱包部品が収容される収容部Ｍ及び空間部Ｋに区画する構成の梱包体１を提供する。【選択図】図１
0003171665.tif 000002
【実用新案登録請求の範囲】
【請求項１】
被梱包部品を梱包する枠状のケースに設けられ、
ケース下部に設置される前記被梱包部品を収容する梱包部材に対して一の側面を当接支持させ、前記ケース内を前記被梱包部品が収容される収容部及び非収容部に区画する仕切り板が立設され、
該仕切り板を前記ケースに支持するための仕切り板支持材であって、
一端には前記ケースの枠部材に係止される係止部と、他端には前記仕切り板の上部側面に当接される当接部とを備えたことを特徴とする仕切り板支持材。
【請求項２】
前記係止部から前記当接部までは、長さ方向を有するように形成され、
該長さ方向に直交する方向に沿う切欠き溝が前記長さ方向に間隔をもって複数設けられ、
該切欠き溝で切断可能に設けられていることを特徴とする請求項１に記載の仕切り板支持材。
【請求項３】
被梱包部品を梱包する枠状のケースと、
ケース下部に設置される前記被梱包部品を収容する梱包部材と、
該梱包部材に対して一の側面を当接支持させて立設される仕切り板と、
一端には前記ケースの枠部材に係止される係止部および他端には前記仕切り板の上部側面に当接される当接部を有する仕切り板支持材と、
を備え、
前記係止部によって前記ケースの枠部材に係止された仕切り板支持材が前記当接部によって立設された仕切り板を当接させて支持させることにより、前記ケース内を被梱包部品が収容される収容部及び非収容部に区画することを特徴とする梱包体。
【考案の詳細な説明】
【技術分野】
【０００１】
本考案は、被梱包部品を所定形状のケース内に梱包するための仕切り板支持材及び梱包体に関するものである。
【背景技術】
【０００２】
従来、自動車部品の輸送においては、例えば薄板状部品の場合にあっては、車体の各構成部分ごとに分解した状態で複数の部品を並置するように支持して梱包し、これをケースに積み込んで輸送している（例えば、特許文献１参照）。
そして、梱包する複数の被梱包部品の集合体がケースの容積に対して小さい場合には、所定形状をなすケース内において、被梱包部品が配置される収容部と非収容部とを区画する仕切り板を支持している。この場合、被梱包部品の下部を収容した梱包済みの梱包部材の立ち壁（側壁）に対して仕切り板の下部側面を当接させて当て止め、仕切り板の当接側とは反対側の面に紐状の押さえバンドで縛って支持していた。
【先行技術文献】
【特許文献】
【０００３】
【特許文献１】特開２００７−２６９３８３号公報
【考案の概要】
【考案が解決しようとする課題】
【０００４】
しかしながら、従来の梱包方法では、以下のような問題があった。
すなわち、床面に近い箇所は梱包部材の側壁で仕切り板を当接することができるが、梱包する荷姿が低い場合やケース上部の空間が空いている場合には、仕切り板を梱包部材に対して十分に当て止めることができず、仕切り板の下部側面のみが支持された状態となり、不安定な姿勢となる不具合が生じている。そのため、仕切り板がずれたり傾いたりすると、被梱包部品が収容される梱包部材の位置にもずれが生じ、被梱包部品の収容状態が崩れて被梱包部品同士が互いに接触して損傷するおそれがあった。
そこで、仕切り板を支持するために梱包部材を大きくすることも行われているが、本来必要としない部材を余分に使用することとなり、部材コストが増大するという問題があった。
【０００５】
本考案は、上述する問題点に鑑みてなされたもので、被梱包部品の収容部を区画する仕切り板を安定した姿勢で支持することができる仕切り板支持材及び梱包体を提供することを課題とする。
また、本考案の他の課題は、梱包部材で調整する必要がなくなり、部材にかかるコストの増大を抑えることができる仕切り板支持材及び梱包体を提供することである。
【課題を解決するための手段】
【０００６】
上記目的を達成するため、本考案に係る仕切り板支持材では、被梱包部品を梱包する枠状のケースに設けられ、ケース下部に設置される被梱包部品を収容する梱包部材に対して一の側面を当接支持させ、ケース内を被梱包部品が収容される収容部及び非収容部に区画する仕切り板が立設され、仕切り板をケースに支持するための仕切り板支持材であって、一端にはケースの枠部材に係止される係止部と、他端には仕切り板の上部側面に当接される当接部とを備えたこと特徴としている。
【０００７】
また、本考案に係る梱包体では、被梱包部品を梱包する枠状のケースと、ケース下部に設置される被梱包部品を収容する梱包部材と、梱包部材に対して一の側面を当接支持させて立設される仕切り板と、一端にはケースの枠部材に係止される係止部および他端には仕切り板の上部側面に当接される当接部を有する仕切り板支持材と、を備え、係止部によってケースの枠部材に係止された仕切り板支持材が当接部によって立設された仕切り板を当接させて支持させることにより、ケース内を被梱包部品が収容される収容部及び非収容部に区画することを特徴としている。
【０００８】
本考案では、被梱包部品をケース内に梱包する際、被梱包部品を収容した梱包部材よって仕切り板の一の側面を当接させるとともに、仕切り板の上部側面にはケースの枠部材に係止部を係止させた仕切り板支持材の当接部を当接させることができる。すなわち、仕切り板の一の側面及び上部側面がそれぞれ梱包部材と仕切り板支持材に対して当て止めることが可能となり、この状態で当接側とは反対側から紐状の押さえ部材で締め付けることで、仕切り板を安定した姿勢で支持することができる。したがって、ケース内に梱包した被梱包部品の運搬時などでも、仕切り板が動いて梱包部材がずれることにより、被梱包部品が不安定な姿勢となって被梱包部品同士が接触したり、或いは被梱包部品とケースとが接触することによる損傷を防ぐことができる。そして、被梱包部品の荷姿が低い場合や、ケースの上部に空間がある場合であっても、これに関わらず仕切り板の上部側面に対して仕切り板支持材の一端を当接することができる。
また、仕切り板支持材が梱包部材とは別体で設けられているので、従来のように被梱包部品の下部側面を支持する梱包部材の形状を大きくする必要がなくなり、部材コストの増大を抑えることができる。
【０００９】
また、本考案に係る梱包体では、係止部から当接部までは、長さ方向を有するように形成され、長さ方向に直交する方向に沿う切欠き溝が長さ方向に間隔をもって複数設けられ、切欠き溝で切断可能に設けられていることが好ましい。
【００１０】
このような特徴により、長さ方向の適宜な位置に設けられる切欠き溝に沿って仕切り板支持材を切断することで、仕切り板支持材の長さ寸法を短くすることができ、仕切り板の位置に合わせて仕切り板支持材の長さ寸法を変更することができる。そのため、梱包する被梱包部品の大きさ、すなわち仕切り板の立ち位置に対応するために複数の長さ寸法の仕切り板支持材を形成する必要がなくなることから、成形時に必要な金型数を減らすことが可能となり、コストの低減を図ることができる。
また、予め設けられている切欠き溝に沿って切断することで、容易に仕切り板支持材を長さ方向に分離することができる。しかも、複数に切欠き溝のそれぞれの位置が設定されているので、仕切り板支持材の長さ寸法を調整する際に、長さを測る手間がなくなり、梱包作業の効率化を図ることができる。
【考案の効果】
【００１１】
本考案の仕切り板支持材及び梱包体によれば、梱包部材によって一の側面が支持された仕切り板の上部側面を当て止めて支持することが可能となるので、ケース上部に空間が空いている場合であっても、被梱包部品の収容部を区画する仕切り板を安定した姿勢で支持することができる。
また、仕切り板支持材が梱包部材とは別体で設けられているので、梱包部材の形状を変えることで調整する必要がなくなり、部材にかかるコストの増大を抑えることができる。
【図面の簡単な説明】
【００１２】
【図１】本考案の実施の形態による梱包体の構成を示す斜視図である。
【図２】図１に示す梱包体の上面図であって、梱包体によって被梱包部品を収容した状態を示す図である。
【図３】図２に示すＡ−Ａ線矢視図である。
【図４】仕切り板支持材の構成を示す斜視図である。
【図５】図４に示すＢ−Ｂ線矢視図であって、仕切り板支持材の平面図である。
【図６】図５に示すＣ−Ｃ線矢視図であって、仕切り板支持材の側面図である。
【図７】図５に示すＤ−Ｄ線矢視図であって、仕切り板支持材の別の方向から見た側面図である。
【図８】変形例による梱包体の構成を示す上面図であって、図２に対応する図である。
【図９】変形例による梱包体の構成を示す側面図であって、図３に対応する図である。
【考案を実施するための形態】
【００１３】
以下、本考案の実施の形態による仕切り板支持材及び梱包体について、図面に基づいて説明する。
図１乃至図３に示すように、本第１の実施の形態による梱包体１は、例えば略薄板状の自動車部品（被梱包部品２）の面方向を上下方向に向けた姿勢で縦置きにして一方向（短手方向Ｙ）に複数配列させ、それら複数の被梱包部品２、２、…と共に箱型に枠組みされたケース３内に収容される仕切り板４を転倒しないように押さえるための仕切り板支持材１０を有している。
【００１４】
ここで、ケース３内に収容される被梱包部品２は、略台形状の薄板状の部材の一例であり、正面視で部品幅寸法が小さくなる側の端部（上端２ａ）を上に向けた状態で、下端両角部から下方に向けて突出する脚部２ｂ、２ｂを有するとともに、その脚部２ｂを含む側縁部２ｃが前後方向に向けて屈曲した形状となっている。
【００１５】
ケース３は、角形鋼管からなる第１上枠材３１、下枠材３２、及び縦枠材３３によって長方箱形状の外枠部分を枠組みさせた形状をなし、第１上枠材３１の下方には一定の間隔をあけて第２上枠材３４が平行に設けられている。長手方向Ｘ及び短手方向Ｙのそれぞれに平行して延在する第１上枠材３１と第２上枠材３４との間には、長手方向Ｘ及び短手方向Ｙの中心位置において中間支柱３５によって連結されている。なお、とくに図示しないが、ケース３の底面、及び第２上枠材３４と下枠材３２と縦枠材３３とによって囲まれる面内には網材等（図示省略）によって覆われる構成であってもよい。また、ケース３の一部の側面が開閉可能に設けられていてもよい。
【００１６】
梱包体１は、上記ケース３と、短手方向Ｙに配列される複数の被梱包部品２のそれぞれの脚部２ｂを収容する一対の脚部梱包部材５（５０Ａ、５０Ｂ）と、ケース３内に収容される被梱包部品２、２、…を長手方向Ｘの一端側へ寄せた状態で長手方向Ｘの中間部分に位置する脚部梱包部材５０Ａの外側壁面５０ａに当接させた状態で起立する仕切り板４と、この仕切り板４の被梱包部品２側に設けられ、仕切り板４とケース３の枠材（ここでは、第１上枠材３１、第２上枠材３４、中間支柱３５）との間に挟持された状態で係止された仕切り板支持材１０と、を備えている。
【００１７】
梱包部材５は、複数配列される被梱包部品２、２、…の脚部２ｂを収容する凹部５０ｂが形成され短手方向Ｙに延在する前記脚部梱包部材５０Ａ、５０Ｂと、複数配列される被梱包部品２、２、…の上端２ａを収容する凹部５１ｂを有する短手方向Ｙに延在する上部押さえ梱包部材５１と、がある。一方の脚部梱包部材５０Ｂはケース３の下方隅部に配置され、他方の脚部梱包部材５０Ａは長手方向Ｘの中間部に配置され、それぞれケース３の下部（底面３ａ上）に設置されている。上部押さえ梱包部材５１は，上面５１ａをケース３の第１上枠材３１に係止させ、下面側に有する凹部５０ｂで複数の被梱包部品２、２、…の上端中央部を収容保持している。これら梱包部材５０Ａ、５０Ｂ、５１によって収容される被梱包部品２、２、…は、互いに間隔をもって配列され、互いに干渉することなく、安定した姿勢で収容されている。
【００１８】
仕切り板４は、その面方向をケース３内の短手方向Ｙに向けて配置させ、長手方向Ｘにケース内空間を被梱包部品２が収容される収容部Ｍと空間部Ｋに分断して仕切るようにして設けられている。仕切り板４は、下部側面４ａ（一の側面）が脚部梱包部材５０Ａの外側壁面５０ａに当接し、収容部Ｍ側の上部側面４ｂが仕切り板支持材１０に当接している。このように仕切り板４は、ケース３内において収容する被梱包部品２の形状や大きさに応じた任意の位置に起立状態で配置され、空間部Ｋ側の上部側面４ｃに押さえバンド６（押さえ部材）を巻き回して支持可能に設けられている。
【００１９】
ここで、仕切り板４の下部側面４ａ（一の側面）に当接する脚部梱包部材５０Ａが本発明の「梱包部材」に相当し、この脚部梱包部材５０Ａはケース３の下部に配置されることになる。なお、「ケースの下部」とは、ケース３の高さの半分程度以下の部分とする。
【００２０】
図４乃至図７に示すように、仕切り板支持材１０は、略長方体部材からなり、その長さ方向をケース３の長手方向Ｘに向けた状態とし、ケース３の上部内側で第１上枠材３１及び第２上枠材３４に対して係合可能に設けられている。具体的に仕切り板支持材１０は、略同一断面で長手方向Ｘに延びる本体部１１と、本体部１１の長手方向Ｘの一端に設けられる当接部１２と、を有している。当接部１２は、ケース３に対する係合状態において、水平方向でケース内側に向けて突出しており、仕切り板４の上部側面４ｂに当接する当接面１０ａを有している。
【００２１】
ケース外側に向けて位置する外面１０ｃには、その上下両角部に長手方向Ｘに沿って凹部１３Ａ、１３Ｂが形成されている。これら凹部１３Ａ、１３Ｂは、それぞれ第１上枠材３１及び第２上枠材３４に係合可能となっている。つまり、仕切り板支持材１０は、上側の凹部１３Ａが第１上枠材３１に係合し下側の凹部１３Ｂが第２上枠材３４に係合した状態で、上下方向の移動が規制されている。
そして、長手方向Ｘで当接面１０ａと反対側の本体部１１の端面（係止面１０ｂ）は、ケース３の中間支柱３５に係止される。
なお、ケース内側に向けて位置する内面１０ｄには、図２では被梱包部品２と仕切り板支持材１０とが離れた図になっているが、ケース３内に梱包する被梱包部品２の一部が当接され、収容され、或いは支持されるようになっている。
【００２２】
また、本体部１１には、係止面１０ｂと当接面１０ａとの間の長さ方向に間隔をもって、その長さ方向に直交する方向に沿って複数の切欠き溝１４が設けられ、これら切欠き溝１４で切断可能に設けられている。つまり、適宜な位置の切欠き溝１４で本体部１１を容易に切断することが可能であり、仕切り板支持材１０の長さ寸法を短くすることができ、係止面１０ｂに対する当接面１０ａの位置を変更することが可能な構成となっている。
【００２３】
ここで、仕切り板支持材１０の素材としては、型内発泡成形された熱可塑性樹脂の発泡成形体であることが好ましい。熱可塑性樹脂には、ポリスチレン系樹脂、ポリオレフィン系樹脂（例えば、ポリプロピレン系樹脂、ポリエチレン系樹脂）、ポリエステル系樹脂（例えば、ポリエチレンテレフタレート、ポリブチレンテレフタレート、ポリエチレンナフタレート）、ポリカーボネート系樹脂、ポリ乳酸系樹脂などが挙げられる。なかでも、ポリエスチレンとポリエチレンとを含む複合樹脂を用いることが好ましい。
【００２４】
次に、上述した構成の仕切り板支持材及び梱包体の作用について、図面に基づいて詳細に説明する。
図１乃至図３に示すように、被梱包部品２をケース３内に梱包する際、被梱包部品２を収容した脚部梱包部材５０Ａよって仕切り板４の下部側面４ａを当接させるとともに、仕切り板４の上部側面４ｂにはケース３の中間支柱３５に係止面１０ｂ（係止部）を係止させた仕切り板支持材１０の当接面１０ａを当接させることができる。すなわち、仕切り板４は、その下部側面４ａ及び上部側面４ｂがそれぞれ脚部梱包部材５０Ａと仕切り板支持材１０に対して当て止めることが可能となり、この状態で当接側とは反対側から紐状の押さえバンド６で締め付けることで、仕切り板４を安定した起立姿勢で支持することができる。
【００２５】
したがって、ケース３内に梱包した被梱包部品２の運搬時などでも、仕切り板４が動いて梱包部材５がずれることにより、被梱包部品２が不安定な姿勢となって被梱包部品２、２同士が接触したり、或いは被梱包部品２とケース３とが接触することによる損傷を防ぐことができる。そして、被梱包部品２の荷姿が低い場合や、ケース３の上部に空間がある場合であっても、これに関わらず仕切り板４の上部側面４ｂに対して仕切り板支持材１０の一端を当接することができる。
【００２６】
また、仕切り板支持材１０が梱包部材５とは別体で設けられているので、従来のように被梱包部品の下部側面を支持する梱包部材の形状を大きくするといったコストのかかる対応が不要となり、部材コストの増大を抑えることができる。
【００２７】
さらに、長さ方向の適宜な位置に設けられる切欠き溝１４に沿って仕切り板支持材１０（本体部１１）を切断することで、仕切り板支持材１０の長さ寸法を短くすることができ、仕切り板４の位置に合わせて仕切り板支持材１０の長さ寸法を変更することができる。そのため、梱包する被梱包部品２の大きさ、すなわち仕切り板４の立ち位置に対応するために複数の長さ寸法の仕切り板支持材１０を形成する必要がなくなることから、成形時に必要な金型数を減らすことが可能となり、コストの低減を図ることができる。
【００２８】
さらにまた、予め設けられている切欠き溝に沿って切断することで、容易に仕切り板支持材を長さ方向に分離することができる。しかも、複数に切欠き溝のそれぞれの位置が設定されているので、仕切り板支持材の長さ寸法を調整する際に、長さを測る手間がなくなり、梱包作業の効率化を図ることができる。
【００２９】
上述のように本実施の形態による仕切り板支持材及び梱包体では、脚部梱包部材５０Ａ（５）によって下部側面４ａが支持された仕切り板４の上部側面４ｂを当て止めて支持することが可能となるので、ケース上部に空間が空いている場合であっても、被梱包部品２の収容部Ｍを区画する仕切り板４を安定した起立姿勢で支持することができる。
また、仕切り板支持材１０が梱包部材５とは別体で設けられているので、梱包部材５の形状を変えることで調整する必要がなくなり、部材にかかるコストの増大を抑えることができる。
【００３０】
以上、本考案による仕切り板支持材及び梱包体の実施の形態について説明したが、本考案は上記の実施の形態に限定されるものではなく、その趣旨を逸脱しない範囲で適宜変更可能である。
【００３１】
例えば、本実施の形態では仕切り板支持材１０を仕切り板４に対して収容部Ｍ側（被梱包部品２が収容される側）に配置しているが、これに限定されることはなく、図８及び図９に示すように仕切り板４の空間部Ｋ側に仕切り板支持材１０を配置する形態であってもかまわない。すなわち、図８及び図９に示す梱包体１Ａの仕切り板支持材１０は、係止面１０ｂを縦枠材３３に係止させ、当接面１０ａを仕切り板４の空間部Ｋ側に面する上部側面４ｃに当接させた状態で設けられている。そのため、仕切り板４の収容部Ｍ側の上部側面４ｂは仕切り板支持材１０によって支持されていない。そして、この場合、仕切り板４の収容部Ｍ側の上部側面４ｂに押さえバンド６を巻き掛けて支持されている。
また、仕切り板支持材１０は、その長さ方向をケース３の長手方向Ｘに向けて配置されているが、これに限定されることはなく、長さ方向をケース３の短手方向Ｙに向けて配置させることも可能である。要は、仕切り板４の向き（仕切り板４の側面の向き）に応じて、その仕切り板４の上部側面に対して仕切り板支持材１０の当接面１０ａを当接するように適宜な箇所に設けることができる。
【００３２】
また、ケース３の大きさ、枠部材の形状、位置、本数などの構成についても本実施の形態に限定されることはない。
さらに、梱包部材５についても本実施の形態に制限されることはなく、位置、形状、数量などは、梱包する被梱包部品２の形状、数量などの条件に基づいて適宜変更可能である。
なお、梱包部材５に収容される被梱包部品２の部位は任意であることは言うまでもない。すなわち、本実施の形態では被梱包部品２の脚部２ｂを収容した脚部梱包部材５０Ａをケース３の下部に配置して、その脚部梱包部材５０Ａに仕切り板４の下部側面５０ａを当接させているが、これに限らず、被梱包部品２の例えば頭部と称される部位を収容した梱包部材をケースの下部に設けて、この梱包部材に対して仕切り板４の一の側面を当接することができる。
【００３３】
さらにまた、本実施の形態では仕切り板支持材１０に複数の切欠き溝１４を設けているが、これら切欠き溝１４の位置や数量、間隔などは任意に設定することがきるし、省略することも可能である。
また、本実施の形態では仕切り板支持材１０の当接部１２を内面１０ｄから突出させて、当接面１０ａの面積を大きくした形状としているが、このような形状に限定されることなく、本体部１１と同じ断面形状としてもよい。
【００３４】
その他、本考案の趣旨を逸脱しない範囲で、上記した実施の形態における構成要素を周知の構成要素に置き換えることは適宜可能である。
【符号の説明】
【００３５】
１、１Ａ  梱包体
２  被梱包部品
３  ケース
４  仕切り板
４ａ  下部側面（一の側面）
４ｂ、４ｃ  上部側面
５  梱包部材
６  押さえバンド
１０  仕切り板支持材
１０ａ  当接面
１０ｂ  係止面（係止部）
１１  本体部
１２  当接部
１３Ａ、１３Ｂ  凹部
１４  切欠き溝
５０Ａ、５０Ｂ  脚部梱包部材
５１  上部押さえ梱包部材
３１  第１上枠材
３４  第２上枠材
３５  中間支柱
Ｋ  空間部（非収容部）
Ｍ  収容部
Ｘ  長手方向
Ｙ  短手方向
【図１】
0003171665.tif 000003
【図２】
0003171665.tif 000004
【図３】
0003171665.tif 000005
【図４】
0003171665.tif 000006
【図５】
0003171665.tif 000007
【図６】
0003171665.tif 000008
【図７】
0003171665.tif 000009
【図８】
0003171665.tif 000010
【図９】
0003171665.tif 000011